(57)【要約】【課題】  楽曲ソースの光ディスクの再生時に、楽曲を聴くとき不要となる画面の輝度を自動的に下げて、モニタ装置の画面の明るさが気にならないようにすることができるようにする。【解決手段】  画面の輝度と輝度調整機能のＯＮ／ＯＦＦとを設定して、キー操作により再生が指令されたとき、光ディスクを再生し、光ディスクの再生開始後、所定時間が経過したとき、光ディスクの種類を判別して、楽曲ソースの光ディスクである場合に、輝度調整機能がＯＮに設定されている場合、画面の輝度を設定された画面の輝度に調整するようにする。【選択図】        図１
2005116001.tif 000002
【特許請求の範囲】
【請求項１】
映像と文字情報とを画面に表示する表示手段と、前記表示手段により画面に表示された文字情報を選択する選択手段と、前記選択手段の選択に基づいて光ディスクを再生する再生手段とを備えたディスク再生装置であって、
予め決められた複数の輝度の１つを選択して画面の輝度を設定するとともに、輝度調整機能のＯＮ／ＯＦＦを設定する設定手段と、キー操作により再生が指令されたとき、前記再生手段を制御して光ディスクを再生する制御手段と、再生された映像信号の有無を判別して、光ディスクの種類を判別する判別手段と、光ディスクの再生開始後、所定時間が経過したとき、前記判別手段により該光ディスクが楽曲ソースの光ディスクであると判別された場合に、輝度調整機能がＯＮに設定されている場合、画面の輝度を前記設定手段により設定された画面の輝度に調整する輝度調整手段と、いずれかの操作キーが操作されたとき、画面の輝度調整を解除して画面を通常表示する輝度調整解除手段とを備えたことを特徴とするディスク再生装置。
【請求項２】
映像と文字情報とを画面に表示する表示手段と、前記表示手段により画面に表示された文字情報を選択する選択手段と、前記選択手段の選択に基づいて光ディスクを再生する再生手段とを備えたディスク再生装置であって、
画面の輝度と輝度調整機能のＯＮ／ＯＦＦとを設定する設定手段と、キー操作により再生が指令されたとき、前記再生手段を制御して光ディスクを再生する制御手段と、光ディスクの種類を判別する判別手段と、光ディスクの再生開始後、所定時間が経過したとき、前記判別手段により該光ディスクが楽曲ソースの光ディスクであると判別された場合に、輝度調整機能がＯＮに設定されている場合、画面の輝度を前記設定手段により設定された画面の輝度に調整する輝度調整手段とを備えたことを特徴とするディスク再生装置。
【請求項３】
いずれかの操作キーが操作されたとき、画面の輝度調整を解除して画面を通常表示する輝度調整解除手段を更に備えたことを特徴とする請求項２記載のディスク再生装置。
【請求項４】
前記設定手段は、予め決められた複数の輝度の１つを選択して、画面の輝度を設定する設定手段であることを特徴とする請求項２記載のディスク再生装置。
【請求項５】
前記判別手段は、再生された映像信号の有無を判別して、光ディスクの種類を判別する判別手段であることを特徴とする請求項２記載のディスク再生装置。
【発明の詳細な説明】
【技術分野】
【０００１】
本発明は、ＤＶＤ（Ｄｉｇｉｔａｌ  Ｖｅｒｓａｔｉｌｅ  Ｄｉｓｋ）、ＭＰ３（ＭＰＥＧ１  Ａｕｄｉｏ  Ｌａｙｅｒ  ３）、ＣＤ（Ｃｏｍｐａｃｔ  Ｄｉｓｋ）等の光ディスクを再生するディスク再生装置に係り、特に楽曲ソースの光ディスクの再生時に、楽曲を聴くのに不要となる画面の輝度を下げて、画面の明るさが気にならないようにすることができるディスク再生装置に関する。
【背景技術】
【０００２】
ＭＰ３、ＣＤ等の楽曲ソースの光ディスクを再生して睡眠前のＢＧＭ（Ｂａｃｋｇｒｏｕｎｄ  Ｍｕｓｉｃ）として利用することが多くなってきている。しかし、ＭＰ３、ＣＤ等の光ディスクを再生するディスク再生装置は、画面に表示された楽曲を選択して、選択された楽曲を再生するようになっていて、ＭＰ３、ＣＤ等の楽曲を再生して睡眠前のＢＧＭとして聞く場合に、画面の明るさが気になってなかなか眠れないという問題点があった。一つの方法としては、画面に表示された楽曲をリモコン装置のキー操作により選択した後、モニタ装置の電源をＯＦＦにするということが考えられるが、再生する楽曲を変更したいとき、その都度、モニタ装置の電源をＯＮにして、画面に表示された楽曲を選択しなければならないという煩わしい問題点があった。
【０００３】
背景技術としては、音楽情報を記録した情報記録媒体に音楽情報と共に記録されている付加情報を読み取り、読み取った付加情報が表す通信相手に、通信回線を通じて接続した後、通信相手から映像情報を取得し、取得した映像情報に基づいて表示装置に画像及び文字のいずれか一方又は両方を表示するようにしたものがあった（例えば、特許文献１参照）。
【０００４】
また、電子機器の再生キーの操作を判別して、再生キーが操作されたと判別したときに再生動作の間、時刻や記録媒体の再生位置を表すカウンタ目盛等を表示する表示部の蛍光表示管の表示を減光するようにしたものがあった（例えば、特許文献２参照）。
【特許文献１】特開平１１−２４２８７８号公報
【特許文献２】特開２０００−２８５５７８号公報
【発明の開示】
【発明が解決しようとする課題】
【０００５】
しかしながら、背景技術で述べたもののうち前者においては、音楽情報を記録した情報記録媒体に音楽情報と共に記録されている付加情報を読み取り、読み取った付加情報が表す通信相手に、通信回線を通じて接続した後、通信相手から映像情報を取得し、取得した映像情報に基づいて表示装置に画像及び文字のいずれか一方又は両方を表示することができたが、楽曲ソースの光ディスクを再生して睡眠前のＢＧＭとして聞く場合に、画面の明るさが気になってなかなか眠れないという上記した問題点があった。
【０００６】
また、後者においては、電子機器の再生キーの操作を判別して、再生キーが操作されたと判別したときに再生動作の間、時刻や記録媒体の再生位置を表すカウンタ目盛等を表示する表示部の蛍光表示管の表示を減光することができたが、楽曲ソースの光ディスクを再生して睡眠前のＢＧＭとして聞くときに、モニタ装置の画面の明るさが気になってなかなか眠れないという上記した問題点を解決するものではなかった。
【０００７】
本発明は、背景技術の有するこのような問題点に鑑みてなされたものであり、その目的とするところは、楽曲ソースの光ディスクの再生時に、楽曲を聴くとき不要となるモニタ装置の画面の輝度を自動的に下げて、画面の明るさが気にならないようにすることができるディスク再生装置を提供しようとするものである。
【課題を解決するための手段】
【０００８】
上記目的を達成するため本発明においては、映像と文字情報とを画面に表示する表示手段と、前記表示手段により画面に表示された文字情報を選択する選択手段と、前記選択手段の選択に基づいて光ディスクを再生する再生手段とを備えたディスク再生装置であって、画面の輝度と輝度調整機能のＯＮ／ＯＦＦとを設定する設定手段と、キー操作により再生が指令されたとき、前記再生手段を制御して光ディスクを再生する制御手段と、光ディスクの種類を判別する判別手段と、光ディスクの再生開始後、所定時間が経過したとき、前記判別手段により該光ディスクが楽曲ソースの光ディスクであると判別された場合に、輝度調整機能がＯＮに設定されている場合、画面の輝度を前記設定手段により設定された画面の輝度に調整する輝度調整手段とを備える。
【０００９】
いずれかの操作キーが操作されたとき、画面の輝度調整を解除して画面を通常表示する輝度調整解除手段を更に備える。
【００１０】
前記設定手段は、予め決められた複数の輝度の１つを選択して、画面の輝度を設定するようにするとよい。
【００１１】
前記判別手段は、再生された映像信号の有無を判別して、光ディスクの種類を判別するようにするとよい。
【００１２】
これらの手段により、楽曲ソースの光ディスクの再生時に、楽曲を聴くとき不要となる画面の輝度を自動的に下げて、モニタ装置の画面の明るさが気にならないようにすることができる。
【発明の効果】
【００１３】
請求項１記載の発明に係るディスク再生装置によれば、予め決められた複数の輝度の１つを選択して画面の輝度を設定し、輝度調整機能のＯＮ／ＯＦＦを設定して、キー操作により再生が指令されたとき、光ディスクを再生し、光ディスクの再生開始後、所定時間が経過したとき、再生された映像信号の有無を判別して光ディスクの種類を判別し、光ディスクが楽曲ソースの光ディスクである場合に、輝度調整機能がＯＮに設定されている場合、画面の輝度を設定された画面の輝度に調整し、いずれかの操作キーが操作されたとき、画面の輝度調整を解除して画面を通常表示するようにしているので、楽曲ソースの光ディスクの再生時に、楽曲を聴くとき不要となる画面の輝度を自動的に下げて、モニタ装置の画面の明るさが気にならないようにすることができるとともに、いずれかの操作キーを操作することにより輝度調整を解除して画面を通常表示し、再生する楽曲を変更することができる。
【００１４】
請求項２記載の発明に係るディスク再生装置によれば、画面の輝度と輝度調整機能のＯＮ／ＯＦＦとを設定して、キー操作により再生が指令されたとき、光ディスクを再生し、光ディスクの再生開始後、所定時間が経過したとき、光ディスクの種類を判別し、光ディスクが楽曲ソースの光ディスクである場合に、輝度調整機能がＯＮに設定されている場合、画面の輝度を設定された画面の輝度に調整するようにしているので、楽曲ソースの光ディスクの再生時に、楽曲を聴くとき不要となる画面の輝度を自動的に下げて、モニタ装置の画面の明るさが気にならないようにすることができる。
【００１５】
請求項３記載の発明に係るディスク再生装置によれば、いずれかの操作キーが操作されたとき、画面の輝度調整を解除して画面を通常表示するようにしているので、楽曲ソースの光ディスクの再生時に、楽曲を聴くとき不要となる画面の輝度を自動的に下げて、モニタ装置の画面の明るさが気にならないようにすることができるとともに、いずれかの操作キーを操作することにより輝度調整を解除して画面を通常表示し、再生する楽曲を変更することができる。
【００１６】
請求項４記載の発明に係るディスク再生装置によれば、予め決められた複数の輝度の１つを選択して、画面の輝度を設定するようにしているので、楽曲ソースの光ディスクの再生時に、楽曲を聴くとき不要となる画面の輝度を所望の輝度に調整することができる。
【００１７】
請求項５記載の発明に係るディスク再生装置によれば、再生された映像信号の有無を判別して、光ディスクの種類を判別するようにしているので、映像ソースの光ディスクの再生時に、輝度調整機能がＯＮに設定されていても、画面を通常表示することができる。
【発明を実施するための最良の形態】
【００１８】
以下、適宜図面を参照しながら本発明を実施するための最良の形態を詳述する。図１は本発明の一実施例のディスク再生装置の構成を示すブロック図であり、図２は本発明の一実施例のディスク再生装置のリモコン装置を示す説明図であり、図３は本発明の一実施例のディスク再生装置の輝度調整機能設定画面の表示例を示す説明図であり、図４は本発明の一実施例のディスク再生装置の動作を示すフローチャートである。
【００１９】
まず、図１の本発明の一実施例のディスク再生装置の構成を示すブロック図を基に説明する。
【００２０】
ディスク再生装置１は、光ディスク２に記録されている映像音声信号を光学的に読み出す光ピックアップ３と、光ディスク２を回転させるスピンドルモータ４と、スピンドルモータ４を駆動し、光ピックアップ３を光ディスク２の半径方向に移動させるスレッドモータ（図示せず）を駆動して、光ピックアップ３のフォーカスとトラッキングとを制御するサーボ回路５と、光ピックアップ３により読み出された映像音声信号を基準クロックに基づいて同期検出し、アナログ信号の映像音声信号をデジタル信号に変換する同期検出／ＡＤ変換回路６と、デジタル信号に変換された映像音声信号を復調し、復調された映像音声信号の誤りを訂正する復調／誤り訂正回路７と、所定の圧縮方式に基づいて圧縮された映像信号と音声信号とを伸張して、元の映像信号と音声信号とを復号するデコーダ８と、復号された映像信号と音声信号とを所定の信号方式に従ったコンポジット信号の映像音声信号、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の映像音声信号に符号化し、符号化された映像音声信号をアナログ信号の映像音声信号に変換するエンコーダ／ＤＡ変換回路９と、文字情報信号を映像信号に重畳して、文字情報をモニタ装置３０に表示するＯＳＤ（Ｏｎ−Ｓｃｒｅｅｎ  Ｃｈａｒａｃｔｅｒ  Ｄｉｓｐｌａｙ）回路１０と、ディスク再生装置１のシステム全体を制御するマイコン１１と、経過時間を計時するタイマ１２と、リモコン装置２０から送信された赤外線信号のリモコン信号を受信して、所定の電気信号に変換するリモコン受信部１３とで構成されている。
【００２１】
また、リモコン装置２０には、図２に示すように、ディスク再生装置１の各種モードを設定するメニュ画面の表示を指令するメニュキー２０ａ、メニュ画面に表示された文字情報の選択項目、楽曲等を選択するカーソルキー２０ｂ、カーソルキー２０ｂによって選択された文字情報の選択項目、楽曲等の選択を決定する決定キー２０ｃ、光ディスクの再生を指令する再生キー２０ｄ等の複数の操作キーが設けられていて、それらの操作キーを操作することによりディスク再生装置１を所望動作させることができるようになっている。なお、カーソルキー２０ｂは、モニタ画面３０に表示された行方向の選択項目を選択する上矢印キー、下矢印キーと列方向の選択項目を選択する左矢印キー、右矢印キーとで構成されている。
【００２２】
以上のように構成されたディスク再生装置について、以下その動作について説明する。
【００２３】
リモコン装置２０の操作キーが操作されると、操作された操作キーのリモコン信号がリモコン装置２０から赤外線信号のリモコン信号として送信され、リモコン受信部１３により受信され、所定の電気信号に変換されてマイコン１１に送出される。メニュ画面の表示を指令するリモコン装置２０のメニュキー２０ａのリモコン信号を受信すると、マイコン１１は、文字情報信号と制御信号とをＯＳＤ回路１０に送出して、モニタ装置３０の画面にメニュ画面を表示する（図示せず）。リモコン装置２０のカーソルキー２０ｂと決定キー２０ｃとの操作によりメニュ画面に表示された輝度調整機能設定が選択されると、マイコン１１は、文字情報信号と制御信号とをＯＳＤ回路１０に送出して、輝度調整機能設定画面をモニタ装置３０の画面３０ａに表示する（図３参照）。ユーザは、リモコン装置２０のカーソルキー２０ｂの上矢印キー、下矢印キーを操作して、モニタ装置３０の画面３０ａに表示された輝度調整機能設定画面の項目を選択し、カーソルキー２０ｂの左矢印キー、右矢印キー、決定キー２０ｃを操作して、モニタ装置３０の画面３０ａに表示された、モニタ装置の画面の輝度を調整する輝度調整機能のＯＮ／ＯＦＦと予め決められた複数の画面の輝度の１つとをそれぞれ選択して、楽曲ソースの光ディスクの再生中のモニタ装置３０の画面の輝度調整機能のＯＮ／ＯＦＦと画面の輝度とを設定する（図３参照）。なお、映像ソースの光ディスク２の再生時は、輝度調整機能がＯＮに設定されていても、モニタ装置３０の画面の輝度は調整されず、モニタ装置３０の画面が通常表示されるようになっている。
【００２４】
光ディスクの再生を指令するリモコン装置２０の再生キー２０ｄのリモコン信号を受信すると、マイコン１１は、サーボ回路５に制御信号を送出して、スピンドルモータ４を回転させ、光ピックアップ３により光ディスク２に記録された映像音声信号を読み出して、同期検出／ＡＤ変換回路６、復調／誤り訂正回路７、デコーダ８、エンコーダ／ＤＡ変換回路９にそれぞれ制御信号を送出して、光ディスク２に記録された映像音声信号の再生を開始し、ＯＳＤ回路１０を介してモニタ装置に再生された映像音声信号を出力する。光ディスク２に記録された映像音声信号の再生を開始すると、マイコン１１は、タイマ１２をスタートさせて、光ディスクの再生開始後の経過時間を計時する。
【００２５】
タイマ１２が所定時間、例えば１０秒を計時すると、マイコン１１は、デコーダ８によりデコードされた映像信号の有無を判別して、光ディスク２が映像信号が記録されていない楽曲ソースの光ディスクであるか、映像音声信号が記録されている映像ソースの光ディスクであるかを判別し、光ディスク２が楽曲ソースの光ディスクである場合、画面の輝度を調整する輝度調整機能がＯＮに設定されているか否かを判別して、画面の輝度を調整する輝度調整機能がＯＮに設定されている場合、ＯＳＤ回路１０に制御信号を送出して、モニタ装置３０に出力する文字情報信号の輝度信号を予め設定された輝度に調整して、文字情報の輝度を下げてモニタ装置３０の画面に表示し、モニタ装置３０の画面の輝度を予め設定された画面の輝度に調整する。
【００２６】
また、モニタ装置３０の画面の輝度が調整されているとき、リモコン装置２０のいずれかの操作キーのリモコン信号を受信すると、マイコン１１は、ＯＳＤ回路１０に制御信号を送出して、輝度調整を解除して文字情報信号の輝度信号を通常の輝度に戻し、モニタ装置３０の画面を通常表示する。そして、リモコン装置２０の再生キー２０ｄのリモコン信号が受信されると、上述したようにして、モニタ装置３０の画面の輝度が調整される。
【００２７】
また、画面の輝度を調整する輝度調整機能がＯＮに設定されていない場合、或いは、光ディスク２が楽曲ソースの光ディスクでない場合、即ち光ディスク２が映像ソースの光ディスクである場合、マイコン１１は、画面の輝度を調整せずに、モニタ装置３０の画面を通常表示する。
【００２８】
また、図４の本発明の一実施例のディスク再生装置の動作を示すフローチャートを基に説明する。
【００２９】
リモコン装置から送信された再生キーのリモコン信号を受信すると、ステップＳ１からステップＳ２に進み、ステップＳ２で、光ディスクの再生が開始され、タイマがスタートされて、ステップＳ４に進む。
【００３０】
ステップＳ３で、所定時間が経過したか否かが判断され、所定時間が経過した場合、ステップＳ４に進み、所定時間が経過していない場合、ステップＳ３に戻って、ステップＳ３からのステップを繰り返す。
【００３１】
ステップＳ４で、光ディスクが楽曲ソースの光ディスクであるか否かが判断され、光ディスクが楽曲ソースの光ディスクである場合、ステップＳ５に進み、光ディスクが楽曲ソースの光ディスクでない場合、即ち光ディスクが映像ソースの光ディスクである場合、ステップＳ９に進んで処理を終了する。
【００３２】
ステップＳ５で、画面の輝度を調整する輝度調整機能がＯＮに設定されているか否かが判断され、画面の輝度を調整する輝度調整機能がＯＮに設定されている場合、ステップＳ６に進み、画面の輝度を調整する輝度調整機能がＯＮに設定されず、輝度調整機能がＯＦＦに設定されている場合、ステップＳ７に進む。
【００３３】
ステップＳ６で、画面の輝度が予め設定された画面の輝度に調整され、ステップＳ９に進む。
【００３４】
ステップＳ７で、リモコン装置のいずれかの操作キーのリモコン信号が受信したか否かが判断され、リモコン装置のいずれかの操作キーのリモコン信号が受信した場合、ステップＳ８に進み、リモコン装置のいずれかの操作キーのリモコン信号が受信していない場合、ステップＳ７に戻って、ステップＳ７からのステップを繰り返す。
【００３５】
ステップＳ８で、画面の輝度調整が解除されて、画面が通常表示され、ステップＳ９に進んで処理を終了する。
【００３６】
以上、本発明を実施するための最良の形態について詳述したが、本発明はこれに限らず、当業者の通常の知識の範囲内でその変形や改良が可能である。例えば、楽曲ソースの光ディスクの再生時に、画面の輝度を予め設定された画面の輝度に調整することを説明したが、画面を青背景画面に切り換えて、青背景画面と文字情報と輝度を予め設定された輝度に調整して、画面の輝度を調整するようにしてもよい。
【００３７】
また、画面を黒画面に切り換えて、文字情報の輝度を予め設定された輝度に調整して、画面の輝度を調整するようにしてもよい。
【図面の簡単な説明】
【００３８】
【図１】本発明の一実施例のディスク再生装置の構成を示すブロック図である。
【図２】本発明の一実施例のディスク再生装置のリモコン装置を示す説明図である。
【図３】本発明の一実施例のディスク再生装置の輝度調整機能設定画面の表示例を示す説明図である。
【図４】本発明の一実施例のディスク再生装置の動作を示すフローチャートである。
【符号の説明】
【００３９】
１  ディスク再生装置
２  光ディスク
３  光ピックアップ
４  スピンドルモータ
５  サーボ回路
６  同期検出／ＡＤ変換回路
７  復調／誤り訂正回路
８  デコーダ
９  エンコーダ／ＤＡ変換回路
１０  ＯＳＤ回路
１１  マイコン
１２  タイマ
１３  リモコン受信部
２０  リモコン装置
２０ａ  メニュキー
２０ｂ  カーソルキー
２０ｃ  決定キー
２０ｄ  再生キー
３０  モニタ装置
３０ａ  画面
【図１】
2005116001.tif 000003
【図２】
2005116001.tif 000004
【図３】
2005116001.tif 000005
【図４】
2005116001.tif 000006